(57)【要約】【課題】相手側コネクタとの嵌合を容易かつ確実に行えるコネクタと基板の取付構造を提供する。【解決手段】コネクタ１４の嵌合方向１２に向いた面１５の外縁を形成する４つの辺部１６〜１９のうち、基板１３側に配置され、かつ基板１３と平行に延びる辺部１６が、基板１３と垂直な方向から見て基板１３の端２６と一致するか又は端２６よりも基板１３の外方に張り出している。これに伴って、コネクタ１４のガイド凸部２１，２２は、基板１３と垂直な方向から見て基板１３の端２６よりも基板１３の外方に張り出している。【選択図】図２
2009117089.tif 000002
【特許請求の範囲】
【請求項１】
相手側コネクタとの嵌合方向が基板と平行になる向きで配置されたコネクタが、前記基板の外縁部に取り付けられるコネクタと基板の取付構造であって、
前記コネクタの前記嵌合方向に向けられた面の外縁を形成する４つの辺部のうち、前記基板側に配置された前記基板と平行に延びる辺部が、前記基板と垂直な方向から見て前記基板の端と一致するか又は前記端よりも前記基板の外方に張り出していることを特徴とするコネクタと基板の取付構造。
【請求項２】
請求項１に記載のコネクタと基板の取付構造において、
前記コネクタの前記４つの辺部のうち、前記基板と垂直な方向に沿って延びる２つの辺部は、前記嵌合方向に向けて張り出すガイド凸部となっており、
前記コネクタの前記ガイド凸部は、前記基板の前記端よりも前記基板の外方に張り出していることを特徴とするコネクタと基板の取付構造。
【請求項３】
請求項２に記載のコネクタと基板の取付構造において、
前記基板は他の基板と連なっており、前記基板の前記端に対応する部分に、分割用の分割ラインが設けられていることを特徴とするコネクタと基板の取付構造。
【請求項４】
請求項２に記載のコネクタと基板の取付構造において、
前記基板の外縁部に切欠部が設けられ、
前記コネクタの前記４つの辺部のうちの前記基板側に配置される前記辺部が、前記基板と垂直な方向から見て前記切欠部の底辺と一致するか又は前記底辺よりも前記基板の外方に張り出しており、かつ、前記コネクタの前記ガイド凸部の先端が、前記基板と垂直な方向から見て前記切欠部の開口側の端と一致するか又は前記開口側の端よりも内方に位置していることを特徴とするコネクタと基板の取付構造。
【請求項５】
請求項４に記載のコネクタと基板の取付構造において、
前記基板は他の基板と連なっており、前記基板の前記端に対応する部分に、分割用の分割ラインが設けられるとともに、
前記基板の前記端に対応する部分と接するか、又は前記端に対応する部分を横断するように、前記切欠部を設けるための孔部が設けられていることを特徴とするコネクタと基板の取付構造。
【発明の詳細な説明】
【技術分野】
【０００１】
本発明は、コネクタと基板の取付構造に関する。
【背景技術】
【０００２】
基板の外縁部にサイド型のコネクタを実装し、横方向にハーネスを引き出す技術が提案されている（特許文献１、２）。
【０００３】
上記のようなサイド型のコネクタの基板への実装の形態としては、例えば図８及び図９に示す構成がある。この構成では、図８及び図９に示すように、コネクタ１の嵌合方向２に向けられた面における左右の両側には、嵌合方向２に向けて張り出すガイド凸部３が設けられている。そして、コネクタ１は、そのガイド凸部３の先端が、基板４と垂直な方向から見て基板４の端５と一致するように基板４に取り付けられている。
【特許文献１】特開２００７−１９３２５号公報
【特許文献２】特開２００７−５９３４５号公報
【発明の開示】
【発明が解決しようとする課題】
【０００４】
しかしながら、図８及び図９に示す構成では、上記のようにコネクタ１の嵌合方向２側の端部が基板４の端よりも内方に位置している。このため、コネクタ１に相手側コネクタ６を嵌合させる際に、コネクタ６の外周部の段部７，８（又は凸部）が基板４の端６に引っ掛かり、これによって、コネクタ６の破損、コネクタ６の抜け、及びコネクタ６の嵌合の不良（接続の不良）等が生じる場合がある。
【０００５】
そこで、本発明の解決すべき課題は、相手側コネクタとの嵌合を容易かつ確実に行えるコネクタと基板の取付構造の提供である。
【課題を解決するための手段】
【０００６】
上記の課題を解決するため、本発明では、相手側コネクタとの嵌合方向が基板と平行になる向きで配置されたコネクタが、前記基板の外縁部に取り付けられるコネクタと基板の取付構造であって、前記コネクタの前記嵌合方向に向けられた面の外縁を形成する４つの辺部のうち、前記基板側に配置された前記基板と平行に延びる辺部が、前記基板と垂直な方向から見て前記基板の端と一致するか又は前記端よりも前記基板の外方に張り出している。
【０００７】
また、本発明に係るコネクタと基板の取付構造において、前記コネクタの前記４つの辺部のうち、前記基板と垂直な方向に沿って延びる２つの辺部は、前記嵌合方向に向けて張り出すガイド凸部となっており、前記コネクタの前記ガイド凸部は、前記基板の前記端よりも前記基板の外方に張り出している。
【０００８】
また、本発明に係るコネクタと基板の取付構造において、前記基板は他の基板と連なっており、前記基板の前記端に対応する部分に、分割用の分割ラインが設けられている。
【０００９】
また、本発明に係るコネクタと基板の取付構造において、前記基板の外縁部に切欠部が設けられ、前記コネクタの前記４つの辺部のうちの前記基板側に配置される前記辺部が、前記基板と垂直な方向から見て前記切欠部の底辺と一致するか又は前記底辺よりも前記基板の外方に張り出しており、かつ、前記コネクタの前記ガイド凸部の先端が、前記基板と垂直な方向から見て前記切欠部の開口側の端と一致するか又は前記開口側の端よりも内方に位置している。
【００１０】
また、本発明に係るコネクタと基板の取付構造において、前記基板は他の基板と連なっており、前記基板の前記端に対応する部分に、分割用の分割ラインが設けられるとともに、前記基板の前記端に対応する部分と接するか、又は前記端に対応する部分を横断するように、前記切欠部を設けるための孔部が設けられている。
【発明の効果】
【００１１】
本発明によれば、コネクタの嵌合方向に向けられた面の外縁を形成する４つの辺部のうち、基板側に配置される辺部が、基板と垂直な方向から見て基板の端と一致するか又は前記端よりも基板の外方に張り出している。このため、このコネクタに相手側コネクタを嵌合させる際に、相手側コネクタの外周部の段部（又は凸部）が基板の端に引っ掛かることながなく、相手側コネクタの破損、抜け、及び嵌合の不良（接続の不良）等も防止できる。その結果、相手側コネクタとの嵌合を容易かつ確実に行えるコネクタと基板の取付構造を提供できる。
【００１２】
また、本発明によれば、分割ラインにて基板と他の基板とを分割する前は、コネクタのガイド凸部が他の基板の上に位置している。このため、基板の搬送及び保管時等にコネクタのガイド凸部が他の部材に当たって破損するのを防止できるとともに、はんだ付けの際にはんだがコネクタに付くのを防止できる。
【００１３】
また、本発明によれば、基板に設けられた切欠部によりコネクタのガイド凸部が他の部材に衝突して破損するのを防止できる。
【００１４】
また、本発明によれば、基板と他の基板の境界部に分割ラインと孔部を設け、その分割ラインにて基板と他の基板とを分割することにより、切欠部を形成できる。これによって、例えば基板と他の基板とを分割してから基板に切欠部を形成する構成に比べて、孔部の形成の方が簡単であり、基板に切欠部を容易に形成できる。
【発明を実施するための最良の形態】
【００１５】
［第１実施形態］
図１は本発明の第１実施形態に係るコネクタと基板の取付構造の平面図であり、図２はその断面図であり、図３は図１のコネクタを相手側コネクタとの嵌合方向から見た図であり、図４は図１のコネクタに相手側コネクタが嵌合された状態を示す断面図である。
【００１６】
本実施形態に係るコネクタと基板の取付構造では、図１から図４に示すように、相手側コネクタ１１との嵌合方向１２が基板１３と平行になる向きで配置されたコネクタ１４が、基板１３の外縁部に取り付けられている。ここで、本実施形態ではコネクタ１４が雌型コネクタで、相手側コネクタ１１が雄型コネクタであるが、コネクタ１４が雄型コネクタで、相手側コネクタ１１が雌型コネクタであってもよい。
【００１７】
コネクタ１４の嵌合方向１２に向けられた面１５の外縁を形成する４つの辺部１６〜１９のうちの基板１３と垂直な方向に沿って延びる左右両側の２つの辺部１８，１９は、嵌合方向１２に向けて張り出すガイド凸部２１，２２となっている。このガイド凸部２１，２２は、相手側コネクタ１１が嵌合される際に相手側コネクタ１１を保持して案内する役割を担う。
【００１８】
また、コネクタ１４の面１５における４つの辺部１６〜１９の内側には、相手側コネクタ１１の先端部を受け入れる凹部２３が設けられる。その凹部２３内には、相手側コネクタ１１に設けられる図示しない接続子（例えば、雌端子）と嵌合して接続される複数の接続子（例えば、雄端子）２４の先端側の部分が配列される。接続子２４の後端側の部分は、略直角に曲げられて基板１３のスルーホール２５に挿入されてはんだ付けされる。この接続子２４のハンダ付けによって、コネクタ１４と基板１３との電気的な接続及び機械的な固定がなされる。
【００１９】
また、本実施形態では、コネクタ１４の前記４つの辺部１６〜１９のうち、基板１３側に配置され、かつ基板１３と平行に延びる辺部１６が、基板１３と垂直な方向から見て基板１３の端２６と一致するか又は端２６よりも基板１３の外方に張り出している。これに伴って、コネクタ１４のガイド凸部２１，２２は、基板１３と垂直な方向から見て基板１３の端２６よりも基板１３の外方に張り出すこととなる。本実施形態では、辺部１６の上側に位置する辺部１７も、基板１３と垂直な方向から見て辺部１６と同じ位置に位置している。より具体的には、本実施形態では、辺部１６，１７が基板１３と垂直な方向から見て基板１３の端２６よりも基板１３の外方に張り出している。
【００２０】
これによって、コネクタ１４に相手側コネクタ１１を嵌合させる際に、相手側コネクタ１１の外周部の段部２７，２８（又は凸部）が基板１３の端２６に引っ掛かることながなく、相手側コネクタ１１の破損、抜け、及び嵌合の不良（接続の不良）等も防止できる。その結果、相手側コネクタ１１との嵌合を容易かつ確実に行えるコネクタと基板の取付構造を提供できる。
【００２１】
図５は、図１の基板が他の基板と連なった状態を示す平面図である。この図５に示す構成では、マザー基板３１にコネクタ１４が実装された複数（図５では４つ）の基板１３がマトリクス状に形成されている。また、マザー基板３１の４つ辺部のうちの隣り合う２つの辺部には、捨て基板３２，３３が付けられている。
【００２２】
また、マザー基板３１における各基板１３間の境界部、及び各基板１３と捨て基板３２，３３との境界部には、分割用の分割ライン３４〜３７が設けられている。この分割ライン３４〜３７は、マザー基板３１を縦断又は横断するＶ字溝又はミシン目等により形成されており、この分割ライン３４〜３７でマザー基板３１の各部分を折り曲げる等することにより、各部分を容易に分割できる。
【００２３】
そして、マザー基板３１内の各基板１３のコネクタ１４が、前記辺部１６が基板１３と垂直な方向から見て基板１３の端２６に対応する分割ライン３４，３５と一致するか又は分割ライン３４，３５よりも基板１３の外方に張り出すように配置されている。これによって、分割ライン３４，３５にてマザー基板３１を分割する前は、各基板１３のコネクタ１４のガイド凸部２１，２２が他の基板１３又は捨て基板３３の上に位置している。このため、マザー基板３１の搬送及び保管時等に各コネクタ１４のガイド凸部２１，２２が他の部材に当たって破損するのを防止できるとともに、はんだ付けの際にはんだがコネクタ１４に付くのを防止できる。
【００２４】
［第２実施形態］
図６は本発明の第２実施形態に係るコネクタと基板の取付構造の平面図である。本実施形態に係るコネクタと基板の取付構造において、上述の第１実施形態に係るコネクタと基板の取付構造と構成が共通する部分については同一の参照符号を付して説明を省略する。
【００２５】
本実施形態では、図６に示すように、基板１３の外縁部に略矩形の切欠部４１が設けられている。そして、コネクタ１４の前記４つの辺部１６〜１９のうちの基板１３側に配置され、かつ基板１３と平行に延びる辺部１６が、基板１３と垂直な方向から見て切欠部４１の底辺４２と一致するか又は底辺４２よりも基板１３の外方に張り出している。しかも、コネクタ１４のガイド凸部２１，２２の先端が、基板１３と垂直な方向から見て切欠部４１の開口側の端４３と一致するか又は開口側の端４３よりも内方に位置している。
【００２６】
より具体的には、本実施形態では、コネクタ１４の辺部１６，１７が基板１３と垂直な方向から見て切欠部４１の底辺４２よりも基板１３の外方に張り出している。また、ガイド凸部２１，２２の先端が、基板１３と垂直な方向から見て切欠部４１の開口側の端４３と一致している。
【００２７】
このような構成により、本実施形態においても、コネクタ１４に相手側コネクタ１１を嵌合させる際に、相手側コネクタ１１の外周部の段部２７，２８等が基板１３の端２６に引っ掛かることながなく相手側コネクタ１１との嵌合を容易かつ確実に行える。しかも、基板１３に設けられた切欠部４１によりコネクタ１４のガイド凸部２１，２２が他の部材に衝突して破損するのを防止できる。
【００２８】
図７は、図６の基板が他の基板と連なった状態を示す平面図である。この図７に示す構成では、基板１３が他の基板４６（例えば、隣接する同様な基板１３又は捨て基板３３）と連なっており、基板１３の前記端２６に対応する部分に、分割用のＶ字溝又はミシン目からなる分割ライン４７が設けられている。そして、基板１３の端２６に対応する部分（分割ライン４７）と接するか、又は端２６に対応する部分（分割ライン４７）を横断するように、切欠部４１を設けるための孔部４８が設けられている。より具体的には、図７に示す構成では、孔部４８が基板１３の端２６に対応する部分（分割ライン４７）と接するように設けられている。
【００２９】
このように、基板１３と他の基板４６の境界部に分割ライン４７と孔部４８を設け、その分割ライン４７にて基板１３と他の基板４６とを分割することにより、切欠部４１を形成できる。これによって、例えば基板１３と他の基板４６とを分割してから基板１３に切欠部４１を形成する構成に比べて、孔部４８の形成の方が簡単であり、基板１３に切欠部４１を容易に形成できる。
【図面の簡単な説明】
【００３０】
【図１】本発明の第１実施形態に係るコネクタと基板の取付構造の平面図である。
【図２】図１のコネクタと基板の取付構造の断面図である。
【図３】図１のコネクタを相手側コネクタとの嵌合方向から見た図である。
【図４】図１のコネクタに相手側コネクタが嵌合された状態を示す断面図である。
【図５】図１の基板が他の基板と連なった状態を示す平面図である。
【図６】本発明の第２実施形態に係るコネクタと基板の取付構造の平面図である。
【図７】図６の基板が他の基板と連なった状態を示す平面図である。
【図８】従来のコネクタと基板の取付構造の平面図である。
【図９】図８のコネクタと基板の取付構造の断面図である。
【符号の説明】
【００３１】
１１  相手側コネクタ
１２  嵌合方向
１３  基板
１４  コネクタ
１５  面
１６〜１９  辺部
２１，２２  ガイド凸部
２６  端
３１  マザー基板
３２，３３  捨て基板
３４〜３７  分割ライン
４１  切欠部
４２  底辺
４３  端
４６  他の基板
４７  分割ライン
４８  孔部
【図１】
2009117089.tif 000003
【図２】
2009117089.tif 000004
【図３】
2009117089.tif 000005
【図４】
2009117089.tif 000006
【図５】
2009117089.tif 000007
【図６】
2009117089.tif 000008
【図７】
2009117089.tif 000009
【図８】
2009117089.tif 000010
【図９】
2009117089.tif 000011